(57)【要約】【課題】インナ部材とアウタ部材とゴム弾性体を含む一体加硫成形品を、ゴム弾性体に有効な予備圧縮を加え得る構造とし、そしてそのような一体加硫成形品を用いて筒型防振装置を良好な製作性にて得る手法を提供する。【解決手段】厚肉の第一円弧形状部１２ａとそれより曲率半径の大きな薄肉の第二円弧形状部１２ｂとが周方向に設けられた筒状のアウタ部材１２を用い、その筒内にインナ部材１４を同軸的に又は偏心して配置した状態で、ゴム弾性体１６を一体加硫成形して、第二円弧形状部１２ｂとインナ部材１４とを連結すると共に、第一円弧形状部１２ａとインナ部材１４との間に軸方向に貫通するすぐり部１８を有する一体加硫成形品１０を形成し、そしてこの一体加硫成形品１０を真円形状に絞り加工して、第二円弧形状部１２ｂを縮径せしめ、ゴム弾性体１６に予備圧縮を加えて、筒型防振装置を製作する。【選択図】図１
2009085305.tif 000002
【特許請求の範囲】
【請求項１】
内面を径方向内方に突出又は膨出させてなる厚肉部にて構成される少なくとも一つの第一円弧形状部と、該第一円弧形状部の周方向両側に位置して、該第一円弧形状部の外周部の曲率半径よりも大なる曲率半径の外周部を有する、該第一円弧形状部よりも厚さの薄い薄肉部にて構成される少なくとも一つの第二円弧形状部とが、周方向に設けられてなる筒状のアウタ部材を準備する工程と、
該アウタ部材の筒内にインナ部材を同軸的に若しくは偏心して位置せしめた状態において、ゴム弾性体を一体加硫成形することにより、該ゴム弾性体にて、該アウタ部材の少なくとも前記第二円弧形状部と該インナ部材とを連結すると共に、該アウタ部材の少なくとも一つの前記第一円弧形状部と該インナ部材との間において、その軸方向に貫通するすぐり部の少なくとも一つを形成してなる一体加硫成形品を形成する工程と、
前記アウタ部材の外周部が全体として真円形状を呈するように、該一体加硫成形品を絞り加工して、少なくとも前記第二円弧形状部の外径を縮径せしめ、前記ゴム弾性体に予備圧縮を加える工程とを、
含むことを特徴とする筒型防振装置の製作方法。
【請求項２】
前記アウタ部材が、前記インナ部材を挟んで対向するように前記第一円弧形状部の二つを有していると共に、該二つの第一円弧形状部の対向方向に直角な方向において対称的に位置する前記第二円弧形状部の二つを有していることを特徴とする請求項１に記載の筒型防振装置の製作方法。
【請求項３】
前記一体加硫成形品が、前記インナ部材を挟んで、その両側に形成された二つの前記すぐり部を有していることを特徴とする請求項２に記載の筒型防振装置の製作方法。
【請求項４】
前記第一円弧形状部の少なくとも一つが、径方向内方に突出した凸部を有する厚肉部にて構成されていることを特徴とする請求項１乃至請求項３の何れか一つに記載の筒型防振装置の製作方法。
【請求項５】
前記第一円弧形状部の少なくとも一つが、円弧状の外周部と弦状の内周部を与える厚肉部にて構成されていることを特徴とする請求項１乃至請求項４の何れか一つに記載の筒型防振装置の製作方法。
【請求項６】
前記アウタ部材における第一円弧形状部の外周部が、前記絞り加工にて実現される真円形状の曲率半径に等しい曲率半径を有していることを特徴とする請求項１乃至請求項５の何れか一つに記載の筒型防振装置の製作方法。
【請求項７】
前記アウタ部材が、前記第一円弧形状部と前記第二円弧形状部との間に、外周部の曲率半径が該第一円弧形状部から該第二円弧形状部へと漸次変化する円弧状の移行部を有していることを特徴とする請求項１乃至請求項６の何れか一つに記載の筒型防振装置の製作方法。
【請求項８】
前記アウタ部材が、少なくとも前記第二円弧形状部の外周部に、その軸方向に延びる少なくとも一つの凹溝を有していることを特徴とする請求項１乃至請求項６の何れか一つに記載の筒型防振装置の製作方法。
【請求項９】
前記アウタ部材が、前記第一円弧形状部と前記第二円弧形状部との境界位置の外周部に軸方向に延びる凹溝を有していることを特徴とする請求項１乃至請求項６及び請求項８のうちの何れか一つに記載の筒型防振装置の製作方法。
【請求項１０】
前記凹溝が、Ｕ字型断面形状を有していることを特徴とする請求項８又は請求項９に記載の筒型防振装置の製作方法。
【請求項１１】
前記凹溝が、円形の底部と、かかる底部を径方向外方に開口せしめる狭幅化された開口部と、該開口部の前記第二円弧形状部側の壁部を前記第一円弧形状部側の壁部よりも径方向外方に突出せしめてなる立上り壁とを有し、前記絞り加工によって、該立上り壁が前記第一円弧形状部側の壁部に向かって倒されて、前記開口部が閉塞せしめられることを特徴とする請求項９に記載の筒型防振装置の製作方法。
【請求項１２】
内面を径方向内方に突出又は膨出させてなる厚肉部にて構成される少なくとも一つの第一円弧形状部と、該第一円弧形状部の周方向両側に位置して、該第一円弧形状部の外周部の曲率半径よりも大なる曲率半径の外周部を有する、該第一円弧形状部よりも厚さの薄い薄肉部にて構成される少なくとも一つの第二円弧形状部とが、周方向に設けられてなる筒状のアウタ部材と、
該アウタ部材の筒内に同軸的に若しくは偏心して位置せしめられたインナ部材と、
該アウタ部材と該インナ部材との間の間隙内に一体加硫成形によって形成され、該アウタ部材の少なくとも前記第二円弧形状部と該インナ部材とを連結すると共に、該アウタ部材の少なくとも一つの前記第一円弧形状部と該インナ部材との間において、その軸方向に貫通するすぐり部の少なくとも一つを備えたゴム弾性体とを、
有することを特徴とする筒型防振装置用一体加硫成形品。
【請求項１３】
請求項１２に記載の一体加硫成形品を用い、前記アウタ部材の外周部が全体として真円形状を呈するように、該一体加硫成形品を絞り加工して、該アウタ部材の少なくとも前記第二円弧形状部の外径を縮径せしめ、前記ゴム弾性体に予備圧縮を加えることにより、得られた筒型防振装置。
【請求項１４】
請求項１乃至請求項１１のうちの何れか一つに記載の方法によって製作された筒型防振装置。
【発明の詳細な説明】
【技術分野】
【０００１】
本発明は、防振連結される二つの部材の一方に取り付けられるアウタ部材と他方に取り付けられるインナ部材とが、それらの間に介装されたゴム弾性体によって、弾性的に連結されてなる構造の筒型防振装置及びその製作方法に係り、特に、アウタ部材とインナ部材の軸直角方向の相対変位量を制限するストッパ機構を備えた筒型防振装置を有利に製造し得る技術に関するものである。
【背景技術】
【０００２】
従来から、振動伝達系を構成する部材間に介装される防振連結体乃至は防振支持体の一種として、特許文献１等に明らかにされているように、互いに所定距離を隔てて配されたインナ部材と筒状のアウタ部材とをゴム弾性体によって弾性連結せしめてなる構造の筒型防振装置が知られており、例えば、自動車用エンジンマウント等に用いられて来ている。また、このような筒型防振装置においては、被連結体乃至は被支持体の過大な変位を防止するために、一般に、インナ部材とアウタ部材の軸直角方向における相対的変位量を制限するストッパ機構が設けられることとなる。そして、そのようなストッパ機構としては、例えば、上記特許文献１にも記載されているように、ゴム弾性体に対して軸方向に貫通して延びるすぐり部（空所）を形成し、このすぐり部を挟んで対向位置せしめられたインナ部材側部分とアウタ部材側部分との当接によって、それらの相対的変位量を制限するようにしたものが、採用されることとなる。
【０００３】
ところで、そのようなインナ部材とアウタ部材の軸直角方向における相対的変位量を制限するストッパ機構としては、一般に、ゴム弾性体に設けたすぐり部内において、インナ部材とアウタ部材との間の距離を制御すべく、インナ部材側及び／又はアウタ部材側から径方向に相手部材側に向かって所定高さで突出するストッパ部を設けたり、アウタ部材を非円形の異形形状としたりする等の構造が採用されているが、構造が複雑となったり、ゴム弾性体の加硫成形操作が困難となる場合があり、また先の特許文献１に明らかにされている如き、異形のアウタ部材を用いた構造にあっては、通常、筒型防振装置におけるゴム弾性体の予備圧縮のために採用されている如き、アウタ部材に対する絞り加工が、そのまま適用され得ず、そのために、異形のアウタ部材内にゴム弾性体を一体的に加硫成形してなる一体加硫成形品においては、ゴム弾性体における残留歪みの解消が困難となり、また、アウタ部材やインナ部材とゴム弾性体との間の加硫接着部位の耐久性においても、大きな問題を内在するものであった。
【０００４】
また、特許文献２や３等においては、インナ部材とアウタ部材との間のすぐり部内に、別体のストッパ部材を嵌入、装着せしめてなる構造が明らかにされ、更に特許文献４においては、アウタ部材の内周面に設けられたストッパ部内に金属製の中間金具を埋設して、インナ部材との当接による変位量を規制することによって、過大変位を阻止するようにした構造が明らかにされ、加えて特許文献５においては、ゴム弾性体内に埋設される中間金具をアウタ部材側に取り付けて、インナ部材側との間での変位量を規制するようにした構造のものが明らかにされているが、それらは、何れも、その製作上等の点において、少なからぬ問題を内在している。例えば、別体のストッパ部材を用いる構造にあっては、ストッパ部材自体を予め別途に作製しておく必要があり、またそのようなストッパ部材を、ゴム弾性体の加硫成形後に、そこに形成されたすぐり部内に挿入して組み付ける作業が必要となる等、製作上において手間が掛かる問題を内在しているのであり、また後者の中間金具を埋設する構造にあっては、それが、ゴム弾性体の加硫成形操作と同時に実現されるものであるところから、加硫成形操作が面倒となり、また複雑となる他、ストッパ強度も充分でない等の問題も内在しているのである。
【０００５】
【特許文献１】特公昭５６−１２７３４号公報
【特許文献２】実公平６−４７１４７号公報
【特許文献３】特開平１１−８２６０７号公報
【特許文献４】特開平１０−３８０１２号公報
【特許文献５】特開平８−１２８４８３号公報
【発明の開示】
【発明が解決しようとする課題】
【０００６】
ここにおいて、本発明は、かくの如き事情を背景にして為されたものであって、その解決課題とするところは、インナ部材とアウタ部材とゴム弾性体を含む一体加硫成形品において、かかるゴム弾性体に有効な予備圧縮を加えることの出来る構造を提供することにあり、また、そのような一体加硫成形品を用いて、目的とする筒型防振装置を良好な製作性において有利に得ることの出来る方法を提供することにもあり、更には、耐久性に優れた筒型防振装置を生産性良く提供することにもある。
【課題を解決するための手段】
【０００７】
そして、本発明は、上記した課題又は明細書全体の記載や図面から把握される課題を解決するために、以下に列挙する各種の態様において、好適に実施され得るものであるが、また、以下に記載の各態様は、任意の組合せにおいても採用可能である。なお、本発明の態様乃至は技術的特徴は、以下に記載のものに何等限定されることなく、明細書全体の記載並びに図面に開示の発明思想に基づいて認識され得るものであることが、理解されるべきである。
【０００８】
（１）  内面を径方向内方に突出又は膨出させてなる厚肉部にて構成される少なくとも一つの第一円弧形状部と、該第一円弧形状部の周方向両側に位置して、該第一円弧形状部の外周部の曲率半径よりも大なる曲率半径の外周部を有する、該第一円弧形状部よりも厚さの薄い薄肉部にて構成される少なくとも一つの第二円弧形状部とが、周方向に設けられてなる筒状のアウタ部材を準備する工程と；該アウタ部材の筒内にインナ部材を同軸的に若しくは偏心して位置せしめた状態において、ゴム弾性体を一体加硫成形することにより、該ゴム弾性体にて、該アウタ部材の少なくとも前記第二円弧形状部と該インナ部材とを連結すると共に、該アウタ部材の少なくとも一つの前記第一円弧形状部と該インナ部材との間において、その軸方向に貫通するすぐり部の少なくとも一つを形成してなる一体加硫成形品を形成する工程と；前記アウタ部材の外周部が全体として真円形状を呈するように、該一体加硫成形品を絞り加工して、少なくとも前記第二円弧形状部の外径を縮径せしめ、前記ゴム弾性体に予備圧縮を加える工程とを、含むことを特徴とする筒型防振装置の製作方法。
【０００９】
（２）  前記アウタ部材が、前記インナ部材を挟んで対向するように前記第一円弧形状部の二つを有していると共に、該二つの第一円弧形状部の対向方向に直角な方向において対称的に位置する前記第二円弧形状部の二つを有していることを特徴とする上記態様（１）に記載の筒型防振装置の製作方法。
【００１０】
（３）  前記一体加硫成形品が、前記インナ部材を挟んで、その両側に形成された二つの前記すぐり部を有していることを特徴とする上記態様（２）に記載の筒型防振装置の製作方法。
【００１１】
（４）  前記第一円弧形状部の少なくとも一つが、径方向内方に突出した凸部を有する厚肉部にて構成されていることを特徴とする上記態様（１）乃至（３）の何れか一つに記載の筒型防振装置の製作方法。
【００１２】
（５）  前記第一円弧形状部の少なくとも一つが、円弧状の外周部と弦状の内周部を与える厚肉部にて構成されていることを特徴とする上記態様（１）乃至（４）の何れか一つに記載の筒型防振装置の製作方法。
【００１３】
（６）  前記アウタ部材における第一円弧形状部の外周部が、前記絞り加工にて実現される真円形状の曲率半径に等しい曲率半径を有していることを特徴とする上記態様（１）乃至（５）の何れか一つに記載の筒型防振装置の製作方法。
【００１４】
（７）  前記アウタ部材が、前記第一円弧形状部と前記第二円弧形状部との間に、外周部の曲率半径が該第一円弧形状部から該第二円弧形状部へと漸次変化する円弧状の移行部を有していることを特徴とする上記態様（１）乃至（６）の何れか一つに記載の筒型防振装置の製作方法。
【００１５】
（８）  前記アウタ部材が、少なくとも前記第二円弧形状部の外周部に、その軸方向に延びる少なくとも一つの凹溝を有していることを特徴とする上記態様（１）乃至（６）の何れか一つに記載の筒型防振装置の製作方法。
【００１６】
（９）  前記アウタ部材が、前記第一円弧形状部と前記第二円弧形状部との境界位置の外周部に軸方向に延びる凹溝を有していることを特徴とする上記態様（１）乃至（６）及び（８）のうちの何れか一つに記載の筒型防振装置の製作方法。
【００１７】
（１０）  前記凹溝が、Ｕ字型断面形状を有していることを特徴とする上記態様（８）又は（９）に記載の筒型防振装置の製作方法。
【００１８】
（１１）  前記凹溝が、円形の底部と、かかる底部を径方向外方に開口せしめる狭幅化された開口部と、該開口部の前記第二円弧形状部側の壁部を前記第一円弧形状部側の壁部よりも径方向外方に突出せしめてなる立上り壁とを有し、前記絞り加工によって、該立上り壁が前記第一円弧形状部側の壁部に向かって倒されて、前記開口部が閉塞せしめられることを特徴とする上記態様（９）に記載の筒型防振装置の製作方法。
【００１９】
（１２）  内面を径方向内方に突出又は膨出させてなる厚肉部にて構成される少なくとも一つの第一円弧形状部と、該第一円弧形状部の周方向両側に位置して、該第一円弧形状部の外周部の曲率半径よりも大なる曲率半径の外周部を有する、該第一円弧形状部よりも厚さの薄い薄肉部にて構成される少なくとも一つの第二円弧形状部とが、周方向に設けられてなる筒状のアウタ部材と；該アウタ部材の筒内に同軸的に若しくは偏心して位置せしめられたインナ部材と；該アウタ部材と該インナ部材との間の間隙内に一体加硫成形によって形成され、該アウタ部材の少なくとも前記第二円弧形状部と該インナ部材とを連結すると共に、該アウタ部材の少なくとも一つの前記第一円弧形状部と該インナ部材との間において、その軸方向に貫通するすぐり部の少なくとも一つを備えたゴム弾性体とを、有することを特徴とする筒型防振装置用一体加硫成形品。
【００２０】
（１３）  上記態様（１２）に記載の一体加硫成形品を用い、前記アウタ部材の外周部が全体として真円形状を呈するように、該一体加硫成形品を絞り加工して、該アウタ部材の少なくとも前記第二円弧形状部の外径を縮径せしめ、前記ゴム弾性体に予備圧縮を加えることにより、得られた筒型防振装置。
【００２１】
（１４）  上記態様（１）乃至（１１）のうちの何れか一つに記載の方法によって製作された筒型防振装置。
【発明の効果】
【００２２】
このように、本発明にあっては、曲率半径の小さな第一円弧形状部と曲率半径の大きな第二円弧形状部とが周方向に設けられた筒状のアウタ部材を用い、それとインナ部材との間にゴム弾性体を一体加硫成形して、かかるアウタ部材の少なくとも第二円弧形状部とインナ部材とをゴム弾性体にて連結するようにすると共に、アウタ部材の第一円弧形状部とインナ部材との間に軸方向に貫通するすぐり部を形成することにより、一体加硫成形品を構成していることにより、そのような一体加硫成形品に対して絞り加工を施すと、その縮径作用が、主として、薄肉部にて構成される第二円弧形状部に対して働くこととなることによって、当該部分の曲率半径が小さくなるような変形を容易に且つ有利に惹起せしめ得て、第一円弧形状部との間で曲率半径が等しくされ得るのであり、以て、真円形状の外周部を有するアウタ部材が容易に実現されることとなるのである。
【００２３】
しかも、そのような構成の一体加硫成形品にあっては、ゴム弾性体が、縮径されるアウタ部材の第二円弧形状部に加硫接着せしめられて、そのような第二円弧形状部とインナ部材とを連結しているところから、ゴム弾性体には、縮径作用に基づくところの予備圧縮が一定に加わることとなり、以て、そのようなゴム弾性体の加硫成形において内在する残留歪みが効果的に解消され得るようになると共に、ゴム弾性体に対する予備圧縮を有効に発揮させることが出来るのである。
【００２４】
また、そのような一体加硫成形品を真円形状に絞り加工して得られる筒型防振装置にあっては、すぐり部を挟んで対向する、インナ部材と、アウタ部材における第一円弧形状部を構成する厚肉部とによって、筒型防振装置の軸直角方向における相対的変位量を制限するストッパ機構が構成されて、それらインナ部材とアウタ部材との間の過大な変位が防止され得るようになっているため、ストッパ強度も充分に確保することが出来る。
【００２５】
従って、本発明によれば、上述せる如き構成の一体加硫成形品を用いることにより、通常の絞り加工操作にてアウタ部材に対して有効な縮径が容易に実現され得ることとなり、以て、予備圧縮作用が効果的に発揮せしめられ得ることにより、ゴム弾性体とアウタ部材との間の連結性が向上され、ひいては筒型防振装置としての耐久性の向上にも大きく寄与し得ることとなった他、そのような優れた特徴を有すると共に、ストッパ機能においても優れた筒型防振装置を、製作性良く、また安価に得ることが出来ることとなったのである。
【発明を実施するための最良の形態】
【００２６】
以下、本発明を更に具体的に明らかにするために、本発明に従う幾つかの実施形態について、図面を参照しつつ、詳細に説明することとする。
【００２７】
先ず、図１には、本発明に従う筒型防振装置の一つである自動車のエンジンマウントを与える一体加硫成形品の一例が、示されている。そこにおいて、一体加硫成形品１０は、アウタ部材としての外筒金具１２とインナ部材としての内筒金具１４とそれら両金具を連結するゴム弾性体１６とから構成され、通常の一体加硫成形操作によって、一体的構造の物品として形成されている。また、この一体加硫成形品１０においては、内筒金具１４を挟んでその両側に位置するように、軸方向に貫通するすぐり部（空所）１８の二つが、ゴム弾性体１６を切り欠いた形態において設けられている。
【００２８】
より具体的には、外筒金具１２は、図１（ａ）において上下方向となる径方向において内筒金具１４を挟んで対向するように、二つの第一円弧形状部１２ａ，１２ａを有し、また、図１（ａ）における左右方向となる径方向において内筒金具１４を挟んで対向するように、第一円弧形状部１２ａ，１２ａの外周部の曲率半径よりも大なる曲率半径の外周部を有する、二つの第二円弧形状部１２ｂ，１２ｂを対称的に有している。即ち、外筒金具１２は、第一円弧形状部１２ａと第二円弧形状部１２ｂとを交互に設けてなる、外周部が全体として略楕円形状を呈する筒体にて、構成されているのである。また、ここでは、第一円弧形状部１２ａの外周部の曲率半径は、後述するように、絞り加工後の真円形状にて与えられる曲率半径に一致させられて、外筒金具１２の絞り加工が容易に行なわれ得るようになっている。
【００２９】
そして、そのような外筒金具１２における二つの第一円弧形状部１２ａのうちの、図１（ａ）において上方に位置するものが、円弧状の外周部１２ａ1 と、そのような円弧形状の両端部を繋ぐように直線的に延びる弦状の内周部１２ａ2 とを有する、内面が径方向内方に突出乃至は膨出した形態において厚さの厚い筒壁を与える厚肉部にて構成されている一方、図１（ａ）において下方に位置する他の一つの第一円弧形状部１２ａは、その内面から径方向内方に突出し、軸方向の全長に亘って延びる台形状の凸部１３を有し、この凸部１３にて筒壁部の厚さが厚くされて、厚肉部を構成している。なお、それら厚肉部から構成される第一円弧形状部１２ａ，１２ａは、何れも、ストッパとして機能させられ得るものであって、ストッパ強度を有利に確保し得るものとなっている。一方、第二円弧形状部１２ｂは、第一円弧形状部１２ａを構成する厚肉部よりも厚さの薄い筒壁部を与える薄肉部にて構成されており、ここでは、均一な厚さにおいて設けられている。更に、それら第一円弧形状部１２ａと第二円弧形状部１２ｂとの境界位置の外周部（４箇所）と共に、それぞれの第二円弧形状部１２ｂの外周部の中間位置に、外方に開口する略Ｕ字型断面形状の凹溝１９ａ，１９ｂが、外筒金具１２の軸方向に延びるように、その全長に亘って、それぞれ形成されている。そして、このような凹溝１９ａ，１９ｂの存在によって、絞り加工がより一層容易に遂行され得るようになっているのである。
【００３０】
また、かかる一体加硫成形品１０を構成する内筒金具１４は、等しい筒壁厚を有する筒体にて構成されて、上記した外筒金具１２内に偏心した形態において、換言すれば、その軸が後述する絞り加工にて実現される外筒金具１２の真円形状の中心（軸）から変位した形態において、配置されている。
【００３１】
さらに、ゴム弾性体１６は、かかる内筒金具１４を前記した外筒金具１２に対して偏心させて位置せしめた状態において、一体加硫成形することによって形成され、図１（ａ）から明らかな如く、八の字形態（逆Ｖ字状形態）において、内筒金具１４と外筒金具１２における第二円弧形状部１２ｂとにそれぞれ加硫接着せしめられて、それら内筒金具１４と外筒金具１２を一体的に連結している。そして、そのような一体加硫成形操作によって、内筒金具１４の両側に位置する二つのすぐり部１８，１８が、同時に形成されると共に、外筒金具１２の内周面全体が所定厚さのゴム層にて覆われるようになっている。なお、そのようなゴム弾性体１６の第二円弧形状部１２ｂに対する連結部（加硫接着部）を周方向において挟むように、前記した凹溝１９ａ，１９ｂが、外筒金具１２の外周部に設けられるようになっている。
【００３２】
また、図２には、図１に示される一体加硫成形品１０とは異なる、別の一体加硫成形品２０が、図１と対応する断面形態において示されている。
【００３３】
この図２に示される一体加硫成形品２０においては、外筒金具２２の軸方向全長に亘って延びる凹溝２９が、第一円弧形状部２２ａと第二円弧形状部２２ｂとの四つの境界位置の外周部に、それぞれ設けられているのみである。特に、かかる凹溝２９は、図５（ｂ）に拡大して示されている如く、円形の底部２９ａと、この底部２９ａを径方向外方に開口せしめる狭幅化された開口部２９ｂと、この開口部２９ｂの第二円弧形状部２２ｂ側の壁部を第一円弧形状部２２ａ側の壁部よりも径方向外方に突出せしめてなる立上り壁２９ｃを与える断面形状において、設けられているのである。また、外筒金具２２における下方の第一円弧形状部２２ａを構成する厚肉部を与える凸部２３が、図２（ｂ）に示される如く、外筒金具２２の軸方向長さよりも短い長さにおいて、その中間部位に設けられ、そしてこの凸部２３に対向した内筒金具２４の外周部が凸部２３に向かって突出せしめられて、凸部２４ａが形成されてなる異形のインナ部材２４が、構成されている。なお、かかる一体加硫成形品２０のその他の部分は、図１に示される一体加硫成形品１０と同様な構成であるところから、そのような一体加硫成形品１０において用いた番号に１０を加えた番号にて、同様な構成を示すこととし、ここでは、更なる説明は省略することとする。
【００３４】
そして、本発明にあっては、かかる図１や図２に示される如き一体加硫成形品１０，２０を用いて、それぞれの外筒金具１２，２２の外周部が全体として真円形状を呈するように、それら一体加硫成形品１０，２０を絞り加工して、少なくともそれぞれの第二円弧形状部１２ｂ，２２ｂの外径を縮径せしめ、それぞれのゴム弾性体１６，２６に予備圧縮を加えることにより、目的とする筒型防振装置が製作されることとなるのである。
【００３５】
すなわち、図１に示される一体加硫成形品１０は、図３に示される如く、従来と同様な絞り加工操作によって、外筒金具１２の外周部が全体として真円形状となるように絞られることにより、外筒金具１２における少なくとも第二円弧形状部１２ｂの二つの外径がそれぞれ縮径せしめられて、図３における右の図に示されるように、略真円形状の外径形状となった筒型防振装置であるエンジンマウント３０が、形成されるのである。なお、ここで、外筒金具１２の二つの第一円弧形状部１２ａ，１２ａは、何れも、絞り加工後のエンジンマウント３０の外径形状（真円形状）の曲率半径に等しい曲率半径とされているところから、そのような絞り加工によって、二つの第一円弧形状部１２ａ，１２ａは殆ど縮径されることなく、二つの第二円弧形状部１２ｂ，１２ｂに対して、主として縮径作用が加わり、以て、絞り加工後の第二円弧形状部１２ｂ，１２ｂの外周部の曲率半径は、第一円弧形状部１２ａの外周部の曲率半径に略等しくなるのであり、これにより、全体として真円形状の外筒金具１２’が形成されるのである。
【００３６】
また、図４には、図２に示される一体加硫成形品２０を用いて、それに対して絞り加工を加えて得られる、外径形状が略真円形状を呈する外筒金具２２’を備えた、筒型防振装置であるエンジンマウント３２の断面形態が示されている。そこにおいても、外筒金具２２’における二つの第一円弧形状部２２ａ，２２ａの外周部の曲率半径は、絞り加工によって得られるエンジンマウント３２の略真円形状の曲率半径に等しくなるように構成されているところから、そのような絞り加工によって、外筒金具２２には、殆ど、その第二円弧形状部２２ｂ，２２ｂに対して縮径作用が働き、以て、図４の如き略真円形状の外径形状を呈する外筒金具２２’を有するエンジンマウント３２が、得られることとなる。
【００３７】
ところで、上記した一体加硫成形品１０，２０に対する絞り加工において、それぞれの外筒金具１２，２２には、それらの軸方向全長に亘って延びる凹溝１９ａ，１９ｂ；２９が設けられているところから、それらの凹溝が起点となって、それら外筒金具１２，２２における第二円弧形状部１２ｂ，２２ｂを容易に変形させ得て、縮径させることが出来るようになっているのである。即ち、図５（ａ）においては、図１に示される一体加硫成形品１０の外筒金具１２に設けられた凹溝１９ａが、絞り加工によって変形する形態が示されているが、そこにおいて、曲率半径の大なる第二円弧形状部１２ｂが、絞り加工によって、その凹溝１９ａ側の端部において凹溝１９ａ内に入り込むように変形せしめられて縮径され、以て、第一円弧形状部１２ａの外周部の曲率半径と同様な曲率半径を有する外周部に縮径された第二円弧形状部１２ｂ’が形成されることによって、全体として略真円形状の外筒金具１２’とされるのである。
【００３８】
特に、凹溝１９ａは、図示の如く、第一円弧形状部１２ａと第二円弧形状部１２ｂの四つの境界位置の外周部の全てに設けられているところから、絞り加工時に、そのような境界部位の凹溝１９ａが起点となって、異形の外筒金具１２における第二円弧形状部１２ｂの外周部外径が縮径されることとなり、以て、境界部位の形状を滑らかに変形させつつ、そのような異形の外筒金具１２の外径が絞り易くなっているのである。また、第二円弧形状部１２ｂの中間部位の外周部に設けられた凹溝１９ｂにあっても、その両側に位置する溝壁部が、それぞれ、絞り加工時に溝内に入り込むように変形せしめられることにより、第二円弧形状部１２ｂの変形が容易に行なわれ、その外周部の縮径が有利に実現され得ることとなるのである。
【００３９】
また、図２に示される一体加硫成形品２０の絞り加工においては、外筒金具２２における第一円弧形状部２２ａと第二円弧形状部２２ｂの境界位置の外周部の全てに設けられた四つの凹溝２９は、図５（ｂ）に示される如く、それぞれ、第二円弧形状部２２ｂ側の立上り壁２９ｃが、第一円弧形状部２２ａ側の壁部に向かって、開口部２９ｂ内に倒れ込むように変形させられて、変形の起点となることにより、第二円弧形状部２２ｂの縮径が効果的に行なわれ、以て、第一円弧形状部２２ａの外周部の曲率半径と同様な曲率半径を有する、縮径された第二円弧形状部２２ｂ’が実現され、これにより、略真円形状の外径形状を呈する外筒金具２２’が形成されるのである。なお、凹溝２９は、その開口部２９ｂが狭幅化されてなる構造とされていることにより、絞り加工による立上り壁２９ｃの倒れ込み変形によって、そのような開口部２９ｂが、図５（ｂ）に示される如く閉塞されることとなるのであり、これによって、後述するように、取付けブラケットの円筒部に対するエンジンマウント３２の圧入に際して、その外周部の接触面積の低下を効果的に抑制乃至は阻止することが出来、以て、取付けブラケットからの抜け力の低下を有利に阻止することが出来るようになっている。
【００４０】
なお、上記した二つの一体加硫成形品１０，２０においては、何れも、外筒金具１２，２２の外周部の所定位置に、凹溝１９ａ，１９ｂ；２９が設けられていたが、そのような凹溝を外筒金具に設けることなく、一体加硫成形品を構成することも可能であり、その一例が、図６に示されている。かかる図６においては、一体加硫成形品４０は、先の二つの一体加硫成形品１０，２０と同様に、外筒金具４２と内筒金具４４とゴム弾性体４６とから構成され、且つ内筒金具４４の両側に、軸方向に貫通する二つのすぐり部４８，４８が設けられてなる一体化物品であるが、先のものとは、外筒金具４２の構成において、大きな差異を有している。
【００４１】
すなわち、外筒金具４２には、相対向して設けられた二つの第一円弧形状部４２ａ，４２ａとそれら第一円弧形状部４２ａ，４２ａの対向方向に直角な方向において対称的に位置する二つの第二円弧形状部４２ｂ，４２ｂとの間に、それぞれ、円弧状の移行部４２ｃが設けられているのである。そして、それら第一円弧形状部４２ａと第二円弧形状部４２ｂとの間に配設された移行部４２ｃは、その外周部の曲率半径が、第一円弧形状部４２ａから第二円弧形状部４２ｂへと漸次変化する、換言すれば漸次増大する曲率半径を有する円弧形状において、形成されているのである。
【００４２】
そして、このような構成の一体加硫成形品４０に対して、通常の絞り加工操作を実施して、その縮径を行なうと、曲率半径の大きな薄肉部からなる第二円弧形状部４２ｂに大きな縮径作用が加わり、次いで縮径作用が、第一円弧形状部４２ａと第二円弧形状部４２ｂの間に設けた移行部４２ｃに対して加わるようになるところから、それら第二円弧形状部４２ｂや移行部４２ｃが縮径されて、図６の右図に示されるように、略真円形状の外径形状とされた外筒金具４２’を有するエンジンマウント５０が、形成されることとなるのである。なお、ここで、第一円弧形状部４２ａと第二円弧形状部４２ｂとの外周面を滑らかに接続する移行部４２ｃの存在により、絞り加工操作を施しても、第一円弧形状部４２ａと第二円弧形状部４２ｂとの間の曲率半径の相違に基づくところの段差の形成が効果的に回避され得ることとなり、以て、図示のような滑らかな略真円形状の外周面を有する外筒金具４２’が、形成されるようになっている。
【００４３】
かくの如く、上記した所定の構造を有する一体加硫成形品１０，２０，４０を用いて、それらに、通常の絞り加工操作を施すことにより、外周面形状が略真円形状とされた、目的とするエンジンマウント３０，３２，５０が、容易に得られるのである。また、そのような絞り加工によって、それぞれのゴム弾性体１６，２６，４６が加硫接着されて、内筒金具１４，２４，４４に対して連結される、外筒金具１２，２２，４２における第二円弧形状部１２ｂ，２２ｂ，４２ｂが、縮径されることとなることにより、それらゴム弾性体１６，２６，４６に対する縮径圧の一定化を有利に図り得ることとなったのであり、以て、有効な予備圧縮が、それぞれのゴム弾性体１６，２６，４６に対して加えることが出来るのである。そして、これにより、エンジンマウント３０，３２，５０の耐久性を有利に向上せしめ得ることとなったのであり、またそのような優れた特徴を有するエンジンマウント３０，３２，５０が通常の絞り加工操作にて容易に作製することが出来ることとなったことによって、その製作コストの低減も、効果的に図り得たのである。
【００４４】
なお、上記した一体加硫成形品１０，２０，４０は、何れも、従来と同様な一体加硫成形手法によって製造することが可能であり、例えば、所定の外筒金具１２，２２，４２と内筒金具１４，２４，４４を成形型内にセットして形成される成形キャビティ内に、従来と同様にして、ゴム弾性体１６，２６，４６を形成せしめるべく、所定のゴム材料を注入し、加硫成形することにより、容易に製造することが可能であって、その一例が、図７に示されている。
【００４５】
すなわち、図７では、図１に示される一体加硫成形品１０を製造するために、第一の型５２と第二の型５４から構成される成形型が用いられ、それら二つの型５２，５４の型合せによって形成される空間内に、外筒金具１２と内筒金具１４をセットせしめ、そしてそこに形成される成形キャビティ内に、所定のゴム材料５６を注入して、従来と同様に加硫成形することにより、図１に示される如き一体加硫成形品１０が容易に得られるようになっているのである。
【００４６】
そして、上記の如くして絞り加工して得られたエンジンマウント３０，３２，５０は、それぞれ、所定の取付けブラケットの円筒部内に圧入されて、自動車のエンジンの支承等に用いられることとなるのであるが、その一例が、図８に示されている。この図８においては、図２に示される一体加硫成形品２０を用いて得られた、図４に示される如きエンジンマウント３２を、取付けブラケット５８の円筒部５８ａ内に圧入せしめてなる構造が示されている。そして、このように、エンジンマウント３２が圧入保持せしめられてなる取付けブラケット５８は、例えば、その脚部５８ｂにおいて、自動車のボデー側に取り付けられる一方、圧入されたエンジンマウント３２の内筒金具２４において、パワーユニット側に取り付けられて、パワーユニットをボデーに対して防振支持せしめるようになっているのである。なお、そのような装着状態下においては、パワーユニットの支持荷重が、ゴム弾性体２６に及ぼされると、内筒金具２４と外筒金具２２’とが略同軸上に位置せしめられるようになることとなる。また、そこにおいて、バウンド方向及びリバウンド方向となる上下方向の過大変位は、下側の第一円弧形状部２２ａの凸部２３の内筒金具２４側への当接及び上側の第一円弧形状部２２ａに対する内筒金具２４側の当接によって、良好に阻止されるようになっている。
【００４７】
ところで、本発明にあっては、上述の如き一体加硫成形品１０，２０，４０の他にも、各種の形状のものが採用され得るところであり、例えば、図９に示される一体加硫成形品６０においては、図１の構造において、上方に位置する第一円弧形状部１２ａがなく、左右の第二円弧形状部１２ｂ，１２ｂが同じ厚さで上方まで回り込んで連結されてなる形態のものとして、構成されている。即ち、図において下方に位置する一つの第一円弧形状部６２ａと、その両側に位置し、残りの円周部を形成する、第一円弧形状部６２ａよりも薄肉の筒壁部とされた第二円弧形状部６２ｂとから、外筒金具６２が、構成されているのである。勿論、ここでも、第一円弧形状部６２ａの外周部の曲率半径よりも、第二円弧形状部６２ｂの外周部の曲率半径の方が大きくなるように構成され、絞り加工の適用により、第二円弧形状部６２ｂが縮径されて、略真円形状の外周部を有する外筒金具６２’を有するエンジンマウント６１が、形成され得るようになっている。
【００４８】
また、すぐり部は、内筒金具の両側に設けられるばかりでなく、片側のみに設けることも可能であり、その一例が、図１０に示されている。即ち、この図１０に示される一体加硫成形品７０は、図２に示される一体加硫成形品２０において、上方のすぐり部２８をゴム弾性体７６にて埋めて、それを消失せしめた形態のものとしたものであって、それを絞り加工すると、図において左右に位置する第二円弧形状部７２ｂ，７２ｂが縮径されて、その外周部の曲率半径が、第一円弧形状部７２ａの外周部の曲率半径と同様となるように構成されることにより、略真円形状の外周部とされた外筒金具７２’を有するエンジンマウント７１が、得られることとなる。
【００４９】
さらに、図１１に示される一体加硫成形品８０においては、外筒金具８２に対して、内筒金具８４が同軸的に配置された状態において、ゴム弾性体８６にて一体的に加硫接着されて連結されていると共に、内筒金具８４の両側に、二つのすぐり部８８，８８が軸方向に貫通して設けられてなる構造とされている。なお、外筒金具８２は、図１に示される一体加硫成形品１０における外筒金具１２と同様に、相対向する二つの第一円弧形状部８２ａ，８２ａと同じく二つの第二円弧形状部８２ｂ，８２ｂとを有し、また、その外周面の所定位置に、凹溝８９ａの四つと凹溝８９ｂの二つとが、形成されている。
【００５０】
そして、このような一体加硫成形品８０を絞り加工することによって、外筒金具８２の第二円弧形状部８２ｂ，８２ｂが、それぞれ縮径されて、全体として真円形状の外周部を与える外筒金具８２’を有するエンジンマウント８１が、得られるようになっているのである。このようなエンジンマウント８１は、一般に、内筒金具８４と外筒金具８２’との間に大きな初期荷重が加わることのない部位における防振支持に、好適に用いられることとなる。
【００５１】
なお、本発明において、外筒金具における第一円弧形状部は、厚肉部で構成されているために、大きく絞ることが困難であるところから、その外周部の曲率半径は、目的とするエンジンマウントの外周部の曲率半径と同一とすることが望ましいのであるが、そのような第一円弧形状部の外周部をある程度絞って、その曲率半径を目的とするエンジンマウントの外周部の曲率半径に一致せしめるようにすることも可能であり、その一例が、図１２に示されている。そこにおいて、一体加硫成形品９０は、図１に示される一体加硫成形品１０と同様な構造を有しているものではあるが、その外筒金具９２における対向した二つの第一円弧形状部９２ａ，９２ａの外周部の曲率半径が、絞り加工して得られるエンジンマウント９１の外周部の曲率半径よりも僅かに大きくされているのである。勿論、第一円弧形状部９２ａの外周部の曲率半径は、薄肉部にて構成される第二円弧形状部９２ｂの外周部の曲率半径よりも小さくなるように、構成されている。そして、絞り加工によって、外筒金具９２は、その第一円弧形状部９２ａ，９２ａにおいても縮径作用を受けることとなるが、そのような縮径作用は、主として第二円弧形状部９２ｂ，９２ｂにおいて受けることとなり、以て、図１２の右図に示される如く、略真円形状に縮径された外筒金具９２’を有するエンジンマウント９１が、得られることとなるのである。
【００５２】
また、以上の各実施形態においては、何れも、図１に示される一体加硫成形品と同様な部分には、図２の一体加硫成形品の場合と同様に、１位の数字を同じとした２桁の数字が用いられており、そしてそれによって詳細な説明が省略されている。
【００５３】
以上、本発明の代表的な実施形態の幾つかについて詳述してきたが、それらは、あくまでも、例示に過ぎないものであって、本発明は、そのような実施形態に係る具体的な記述によって、何等限定的に解釈されるものではないことが、理解されるべきである。
【００５４】
例えば、上述した実施形態においては、一体加硫成形品１０における如く、内面を径方向内方に突出乃至は膨出させてなる厚肉部（１２ａ）として、弓状の内周面１２ａ2 を形成したり、台形状の突部１３を軸方向に延びるように一体的に設けたりしているが、そのような厚肉部の形状は、適宜に選定され得るものであって、すぐり部１８を挟んで対向する、厚肉部（１２ａ）と内筒金具１４とが、有効なストッパー機能を奏し得るように適宜の形状のものが選択され、例示の如き形状の他にも、例えば、第一円弧形状部１２ａの内面に沿って周方向に同じ高さで延びる突部を設けることによって、両端部において２つの山が形成されるような形状のものとすることも、可能である。
【００５５】
また、絞り加工の施されるアウタ部材となる外筒金具１２，２２・・・の材質にあっても、インナ部材である内筒金具１４，２４・・・と共に、鉄やアルミニウム合金等の金属材質とすることが望ましいものであるが、従来から知られているように、樹脂材質とすることも可能である。そして、樹脂材質のアウタ部材を用いた場合にあっては、それを縮径状態に維持した形態において、図８に示される如き、取付けブラケット（５８）の円筒部（５８ａ）内に、そのまま嵌入されて、固定せしめられることとなる。また、樹脂材質のアウタ部材を用いた場合における一体加硫成形品を、図８に示される如き取付けブラケット（５８）の円筒部（５８ａ）内に、圧入しながら第二円弧形状部１２ｂ，２２ｂ・・・の外径を縮径せしめて、ゴム弾性体１６，２６・・・に予備圧縮を加えるようにしてもよい。即ち、取付けブラケット（５８）の円筒部（５８ａ）内への圧入加工が絞り加工となり、ゴム弾性体１６，２６・・・に予備圧縮が加えられると共に、取付けブラケット（５８）の円筒部（５８ａ）内に、固定せしめられるようにしてもよい。
【００５６】
さらに、一体加硫成型品１０，２０・・・における外筒金具１２，２２・・・の外周部に設けられる、軸方向に延びる凹溝１９ａ，１９ｂ；２９・・・としては、例示の如き断面構造を有するものの他、Ｖ字溝や矩形溝等の各種形状の溝として設けることが可能であり、その大きさ（深さ）や個数にあっても、外筒金具１２，２２・・・の厚さや材質、強度等を考慮して、適宜に設定されるものである。
【００５７】
その他、一々列挙はしないが、本発明は、当業者の知識に基づいて、種々なる変更、修正、改良等を加えた態様において実施され得るものであり、また、そのような実施の態様が、本発明の趣旨を逸脱しない限りにおいて、何れも、本発明の範疇に属するものであることは、言うまでもないところである。
【図面の簡単な説明】
【００５８】
【図１】本発明に従う一体加硫成形品の一例を示す説明図であって、（ａ）は、その縦断面説明図（図１（ｂ）におけるＩＡ−ＩＡ断面説明図）であり、（ｂ）は、（ａ）におけるＩＢ−ＩＢ断面説明図である。
【図２】本発明に従う一体加硫成形品の他の例を示す説明図であって、（ａ）は、その縦断面説明図（図２（ｂ）におけるIIＡ−IIＡ断面説明図）であり、（ｂ）は、（ａ）におけるIIＢ−IIＢ断面説明図である。
【図３】図１に示される一体加硫成形品の絞り加工前後の形状を、図１（ａ）に相当する断面形態において示す説明図である。
【図４】図２に示される一体加硫成形品を絞り加工した後の形態を示す、図２（ａ）に相当する断面説明図である。
【図５】図３や図４における一体加硫成形品の絞り加工によって、外筒金具の外周部に設けられた凹溝が変形する形態を示す断面説明図であって、（ａ）は、図３の一体加硫成型品における、第一円弧形状部と第二円弧形状部の境界位置に設けられた凹溝の絞り加工前後の形状を示す部分拡大断面説明図であり、（ｂ）は、図４における、凹溝の絞り加工前後の形態を示す部分拡大断面説明図である。
【図６】本発明に従う一体加硫成形品の異なるものについての、図３に対応する断面説明図である。
【図７】図１に示される一体加硫成形品を得るための成形型に、外筒金具と内筒金具とをセットし、所定のゴム材料を注入した状態を示す断面説明図であって、（ａ）は、（ｂ）におけるＶIIＡ−ＶIIＡ断面に相当する、その縦断面説明図であり、（ｂ）は、（ａ）におけるＶIIＢ−ＶIIＢ断面説明図である。
【図８】図４に示されるエンジンマウントを取付ブラケットの円筒部内に圧入してなる形態を示す断面説明図であって、（ａ）は、（ｂ）におけるＶIIIＡ−ＶIIIＡ断面に相当する説明図であり、（ｂ）は、（ａ）におけるＶIIIＢ−ＶIIIＢ断面に相当する説明図である。
【図９】本発明に従う一体加硫成形品の他の一つの例についての、絞り加工前後の形態を示す、図３に相当する断面説明図である。
【図１０】本発明に従う一体加硫成形品の更に他の例についての、絞り加工前後の断面形態を示す、図３に相当する説明図である。
【図１１】本発明に従う一体加硫成形品の別の例についての、絞り加工前後の形態を示す、図３に相当する断面説明図である。
【図１２】本発明に従う一体加硫成形品の更に別の例における、絞り加工前後の形態を示す、図３に相当する断面説明図である。
【符号の説明】
【００５９】
１０，２０，４０，６０，７０，８０，９０  一体加硫成形品
１２，１２’２２，２２’，４２，４２’，６２，６２’７２，７２’，８２，８２’，９２  ９２’  外筒金具
１２ａ，２２ａ，４２ａ，６２ａ，７２ａ，８２ａ，９２ａ  第一円弧形状部
１２ｂ，１２ｂ’，２２ｂ，２２ｂ’，４２ｂ，６２ｂ，７２ｂ，８２ｂ，９２ｂ  第二円弧形状部
１２ａ1 円弧状の外周部                  １２ａ2 弦状の内周部
１３，２３，２４ａ  凸部                １４，２４，４４，８４  内筒金具
１６，２６，４６，８６  ゴム弾性体      １８，２８，４８，８８  すぐり部（空所）
１９ａ，１９ｂ，２９，８９ａ．８９ｂ  凹溝
３０，３２，５０，６１，７１，８１，９１  エンジンマウント
２９ａ  底部                            ２９ｂ  開口部
２９ｃ  立上り壁                        ４２ｃ  移行部
５２  第一の型                          ５４  第二の型
５６  ゴム材料                          ５８  取付けブラケット
５８ａ  円筒部                          ５８ｂ  脚部
【図１】
2009085305.tif 000003
【図２】
2009085305.tif 000004
【図３】
2009085305.tif 000005
【図４】
2009085305.tif 000006
【図５】
2009085305.tif 000007
【図６】
2009085305.tif 000008
【図７】
2009085305.tif 000009
【図８】
2009085305.tif 000010
【図９】
2009085305.tif 000011
【図１０】
2009085305.tif 000012
【図１１】
2009085305.tif 000013
【図１２】
2009085305.tif 000014